(57)【要約】【課題】腰に巻きつけるコルセットを吊り上げるベルトの長さ調整及びベルトへのコルセットの着脱が容易であり、使用者の操作上の不便を解消可能にする。【解決手段】コルセットの吊り上げベルト（自動車シート用吊り上げベルト、事務椅子用背もたれ支持具に取付けた吊り上げベルト、長椅子用吊り上げベルトのいづれか一つの吊り上げベルト）に雌雄着脱装置の一方５を設け、コルセット４に縫合したベルト２３に雌雄着脱装置の一方５’を設けて、ベルトの巻上げローラを有するラチェット９或いは調整金具を用いて吊り上げベルト６の長さ調整を可能にすると共にコルセット４の雌雄着脱装置５’を吊り上げベルトの雌雄着脱装置５に着脱容易にして操作時の不便を解消することを特徴とする腰の負担軽減装置。【選択図】図５
2005168538.tif 000002
【特許請求の範囲】
【請求項１】
吊り上げベルトとコルセットを雌雄着脱装置で連結することによって吊り上げベルトとコルセットを容易に着脱できるようにした構成を有する腰の負担軽減装置において、長さ調整を可能にした吊り上げベルトとコルセットを雌雄着脱装置により着脱するようにしたことを特徴とする腰の負担軽減装置。
【請求項２】
吊り上げベルトに設けた長さ調整金具で吊り上げベルトの長さを調整可能にし、自動車用シートのヘッドレストにかけることが出来るようにした吊り上げベルトとコルセットを雌雄着脱装置により着脱するようにしたことを特徴とする請求項１に記載の腰の負担軽減装置。
【請求項３】
吊り上げベルトに設けた長さ調整金具で吊り上げベルトの長さを調整可能にし、この吊り上げベルトを長椅子の背もたれにかけることが出来るようにした金具に取付け、吊り上げベルトとコルセットを雌雄着脱装置により着脱するようにしたことを特徴とする請求項１に記載の腰の負担軽減装置。
【請求項４】
吊り上げベルトを巻き取る巻き取りローラと、巻き取りローラに吊り上げベルトを巻き取る機構を作動する巻き上げレバーと、逆転防止爪及び解除機構を有するラチェットを備えて長さを調整する機構を備えた吊り上げベルトとコルセットの雌雄着脱装置を着脱するようにしたことを特徴とする請求項１に記載の腰の負担軽減装置。
【請求項５】
雌雄着脱装置付き吊り上げベルトを椅子に取り付けるための取り付け装置を椅子の背もたれの支持具に備え、取付け装置が背もたれの支持具に着脱可能にして、吊り上げベルトとコルセットの雌雄着脱装置を着脱するようにしたことを特徴とする請求項１に記載の腰の負担軽減装置。
【請求項６】
吊り上げベルトとコルセットを雌雄着脱装置で連結することによって吊り上げベルトとコルセットを容易に着脱できるようにした構成を有する腰の負担軽減装置において、吊り上げベルトの一端に雌雄着脱装置の一方を設け、雌雄着脱装置のもう一方をコルセットの背後で左右に摺動可能に取り付けたベルトを備えたコルセットの胴部周囲に幅調整ベルトを有するようにしたことを特徴とする請求項１乃至請求項５のいづれかに記載の腰の負担軽減装置。
【発明の詳細な説明】
【技術分野】
【０００１】
本発明は、立ち居作業容易な腰の負担軽減装置に関するものである。
【背景技術】
【０００２】
長時間の運転者、椅子に腰掛けて作業する勤労者等の作業者の腰に掛かる負担軽減装置の中で、コルセットは、常時腰に巻きつけてあるものであるために装置の使用者の移動上の不便が生じ、それが返って必要な運動を阻害する要因にもなっている。このような従来の欠点を改善する方法としては、本発明装置の使用者が立ち居、移動したりする際にコルセットを腰に着脱容易にすることと、腰に巻きつけてあるコルセットを腰に巻きつけてあるままで移動が出来るようにすることが必要になる。
【０００３】
従来のコルセットは、腰に巻きつけるだけで実用上十分であった。しかし、長距離の運転者とか、事務的な作業を椅子に腰掛けて行う勤労者とか、長時間に渉って椅子に腰掛けているような場合にはコルセットを腰につけたままでは使用上の不便のために疲れが増加するという欠点があった。
【０００４】
一般的には、運転する場合とか、事務的な作業をするとか、長いすに長時間座って生活する場合の腰に掛かる負担を軽減するためのコルセットの用途において、椅子に支持装置が固定されるコルセットの欠点は行動が制約されるので、具体的には運転者や事務作業者等は、腰の負担を軽減するためのコルセットを外したり着けたりなどの問題があった。
【０００５】
自動車の運転席、車椅子等に腰掛ける場合に於ける腰の負担を軽減するためのコルセットの支持装置の改善策として、次の文献に記載の装置がある。    
【特許文献１】実用新案登録第３０６２１２６号公報
【特許文献２】特開２００１−１９１８９６号公報
【特許文献３】特開２００１−６３４２２号公報
【特許文献４】特許第２８７１６７６号公報
【特許文献５】特開平１１−２６６９６４号公報
【特許文献６】特開平０８−２８２４３５号公報
【特許文献７】特開平０８−４０１２８号公報
【特許文献８】実開昭６３−１６６２１３号公報
【発明の開示】
【発明が解決しようとする課題】
【０００６】
解決しようとする問題点は、腰の負担軽減装置において腰に巻きつけるコルセットの吊り上げベルトの位置や長さ調整を行うことができないとか、コルセットを着脱する操作において不便であることと、背後に両手が短くて届かなかったり、コルセットを容易に外したり着けたりできない点である。
【課題を解決するための手段】
【０００７】
本発明は、ベルトの一端を椅子に取付けてもう一方にコルセットを着脱自在な連結具で連結した吊り上げベルトとコルセットを雌雄着脱装置で連結することによって吊り上げベルトとコルセットを容易に着脱できるようにした構成を有する腰の負担軽減装置において、腰に巻きつけるコルセットを吊り上げベルトに着けたり外したりの操作をする場合に、吊り上げベルトの長さ調整を容易にし、コルセットの着脱位置に両手が短くて届かなくても、またその部位を振り返って目視確認ができなくても、雌雄着脱装置を体側にずらせるようにしたことで障害をなくしたことを最も主要な特徴とする。
【発明の効果】
【０００８】
本発明の腰の負担軽減装置は、コルセットの背後に設けた雌雄着脱装置で吊り上げベルトを着脱容易に出来ており、その雌雄着脱装置は体側で着脱操作をするために、両手を使用できて目視も可能であるから着脱操作をするのが容易である。長さ調整のために吊り上げベルトに設けた長さ調整金具若しくはラチェットのレバー操作によって、コルセットを吊り上げるベルトの長さの調整が自由に出来て、吊り上げベルトの先端部に設けた雌雄着脱装置にてコルセットを着脱する際には、コルセットの背後の雌雄着脱装置を横にずらせて体側で目視しながら操作できるので、吊り上げベルト並びに雌雄着脱装置の位置が背後にあっても、腰に巻きつけたコルセットの着脱操作に支障を及ぼさないという利点がある。
【０００９】
本発明は吊り上げベルトとコルセットを容易に着脱できる腰の負担軽減装置を採用したので、自動車用シートや椅子の背もたれに吊り上げベルトを掛けた状態で、雌雄着脱装置によってコルセットを腰に巻いて使用上の利便性を損なうことなく作業することも可能である。吊り上げベルトの長さ調整によってコルセットの吊り上げ強度を調整できるので、雌雄着脱装置を体側にずらせてコルセットの着脱は容易である。吊り上げベルトに設けた長さ調整金具の位置決めによって又は長さ調整のためにベルト巻き取りローラ付のラチェットをシート下部に設けたのでラチェット操作によって、使用者はコルセットの吊り上げ位置が常時変更でき、腰に巻きつけてあるコルセットの適切な高さ位置決めが容易になる。さらに、腰に巻きつけたコルセットの横締めベルトを緩めたり、締めたりしてコルセットの腹部の位置を容易にずらせるさせることができる。使用者はコルセットを吊り上げベルトから切り離してもそのまま腰に巻きつけた状態で立ち居や移動を可能にする効果がある。
【発明を実施するための最良の形態】
【００１０】
本発明の技術的思想は五つの実施例において具体化される構成により、長さ調整金具或いはラチェットを設けて吊り上げベルトの長さを調整し、吊り上げベルトに雌雄着脱装置を採用し、コルセットを何時でも吊り上げベルトに着脱が出来て使用時の利便性を損なわずにコルセットの使用が可能になるよう実現した。
【実施例１】
【００１１】
図１乃至図２は実施例１を表示している。この実施例１は、長さ調整金具１５を設けた吊り上げベルト１４の一端に一方の雌雄着脱装置５を設け、コルセット４に縫合したベルト２３にもう一方の雌雄着脱装置５’を設けてある。吊り上げベルト１４をヘッドレスト３に掛けて、吊り上げベルトとコルセット４に取付けた雌雄着脱装置５、５’によって、コルセットの着脱操作が容易であるので、例えば使用者が作業時に運転席を離れる場合は吊り上げベルト１４をシートのヘッドレスト３に掛けたままでも、雌雄着脱装置５，５’を切り離して、コルセットを腰に巻きつけたままで移動することも出来る。吊り上げベルト１４の長さを調整する場合には、吊り上げベルトの長さ調整金具１５の位置を移動して長さを調整する。コルセットの横締めベルト２２を緩めなくても、吊り上げベルトとコルセットの雌雄着脱装置５，５’を横にずらせ摺動するベルトの長さに余裕を持たせて、雌雄着脱装置の一方をベルト２３に取り付ければ体側での着脱操作が容易に出来る。
【実施例２】
【００１２】
図３は、実施例２を表示している。この実施例２は、吊り上げベルト３４に設けた長さ調整金具で吊り上げベルトの長さを調整可能にし、この吊り上げベルトを長椅子３５の背もたれにかけることが出来るようにした逆Ｕ字状金具３３に取付け、吊り上げベルトに一方の雌雄着脱装置５とコルセットにも一方の雌雄着脱装置５’とを設けて、吊り上げベルト３４とコルセット４を着脱可能にした。
【実施例３】
【００１３】
図４乃至図９は、実施例３を表示している。この実施例３は、ラチェット取付け台２４に設けたラチェット９に取付けた巻上げレバー１１を押し下げ、これを数回繰り返し押し下げることによって、吊り上げベルト巻取りローラ１０を回転して、吊り上げベルト６を前記のローラに巻き込み吊り上げベルトの長さ調整ができるようにしたので、例えば使用者が運転席に座って吊り上げベルトの長さを調整する場合はシート下の巻上げレバー１１を数回繰り返し押しながら、吊り上げベルト６をローラ１０に巻き取りコルセット４の背後を吊り上げることが出来る。また吊り上げたコルセット４を緩める場合は、解除リング１２を引っ張って逆転防止爪２７を解除して吊り上げベルト６を伸ばして緩める。
【００１４】
自動車用シートの背もたれ２には、吊り上げベルト６の上部ベルトのすべり板７をヘッドレストの支柱に取付ける。この場合上部ベルトのすべり板取り付け金具２８を同上の取り付けボルト２９でヘッドレストに取り付ける。さらに、下部すべり板８をシート後方下部ベルトのすべり板取付けボルト３１に下部ベルトのすべり板取付金具３０を掛けナットで締結してある。コルセットの吊り上げベルト６は、これらのすべり板７，８を滑ってローラ１０に巻き取られるようにした。吊り上げベルト６によって、コルセット４を吊り上げた状態を適宜な位置に維持するためには、ベルト巻き取りローラ１０の逆転防止爪２７を掛けた状態にしておく。またラチェットの逆転防止爪２７は逆転防止爪解除リング１２を引くことにより解除される。ラチェットの取付け台２４は、左右幅調整ボルト２５で幅を調整し、シート下部の取付け台１３にシート脚と共にボルト２６で締結した。ラチェットの取付け台２４の上にラチェット９が取付けられる。
【００１５】
実施例３は、吊り上げベルトの長さ調整のためにラチェット９を採用したので運転席においてコルセット吊り上げベルト６の長さ調整が容易な巻き上げレバー操作でベルトの長さの微調整や解除リングで吊り上げ解除が効き、雌雄着脱装置５，５’によりコルセット４の着脱も問題がない。
【実施例４】
【００１６】
図１１乃至図１４は、実施例４を表示している。この実施例４は、椅子の背面の背もたれ１６に吊り上げベルト１７を掛けて、吊り上げベルトの一端を取付け装置１８，１８’ に設ける。これを背もたれの支持具１９にボルトで取付けることによって、吊り上げベルト１７の一端を背もたれ支持具１９に固定できるし、取付け装置の位置を変更も可能にした。取付け装置の位置が決まった場合は、例えば吊り上げベルト１７の長さを調整する場合には、ベルトの長さ調整金具１５’の位置を移動して調整する。背もたれ支持具１９に取付ける取付け装置１８，１８’は、幅調整ボルト２０を緩めて調整溝２１，２１’で横方向にスライドして椅子の背もたれ支持具１９にはめ込み、ボルト２０を締め更にボルト２０’’を締結して、背もたれ支持具の適宜な位置に取り付ける。背もたれ支持具１９の取付け装置１８，１８’の位置を変える場合には、ベルト取付け装置の固定ボルト２０’’を緩めてその固定位置を変えて使用する。
【００１７】
前記の吊り上げベルト１６のもう一端には一方の雌雄着脱装置５が設けられており、更にこれに着脱するもう一方の雌雄着脱装置５’をコルセット４に縫合したベルト２３に設けた。そうすることによって、本発明のコルセットの着脱自在の効果が実施例１，２，３と同様に奏せられるようにした。
【実施例５】
【００１８】
図１５は、実施例５を表示している。この実施例５は、本発明の実施例に係る腰の負担軽減装置において、使用されるコルセットの構成に関するものである。図３、図１５に基づいて説明すれば、吊り上げベルトの一端に設けた一方の雌雄着脱装置５と他方の雌雄着脱装置５’を設けたコルセットを着脱可能に連結することによって、吊り上げベルトとコルセットを容易に着脱できるコルセットの構成を有する。即ち、腰の負担軽減装置において、吊り上げベルトの一端に雌雄着脱装置の一方５（図３）を設け、コルセット４の横方向胴部にはコルセットの幅調整ベルト２２を縫合し、コルセットの背後に縫合したベルト２３に雌雄着脱装置のもう一方５’を設ける。このコルセットは雌雄着脱装置を覆う背後カバー３２ａ，ｂをコルセット後縁部に立ち上げて設け、雌雄着脱装置５’はそのカバーに覆われているので背後カバーによって使用者の背中が保護される。雌雄着脱装置は、吊り上げベルトとコルセットを自在に着脱するために必要なものであるが、コルセットの使用者には手が短くて背後には届かないので、背後にある雌雄着脱装置を操作しやすくするための工夫として、前記雌雄着脱装置のもう一方５’をベルト２３に移動自由に装着し、そのベルト２３の間隔で摺動できるようにして移動自由になるようにすると良い。例えば、図１５において説明すれば、同上図のコルセット（ａ）は、ベルト２３を短くしてあるが、下図（ｂ）のものはベルト２３の長さをそれより長くして雌雄着脱装置の一方５’をベルトに沿って、いづれも多少の幅でも移動させてなるべく外し易いようにした。
【産業上の利用可能性】
【００１９】
コルセット及び吊り上げベルトに取付けた雌雄着脱装置を用いているので容易に吊り上げベルトとにコルセットの着脱ができる。吊り上げベルトの長さ調整金具の位置調整により叉はベルトの長さ調整巻上げローラを有するラチェットをシート下部に取付けてレバー操作することによって、コルセットを腰に巻きつけた状態でもベルトの長さを調整することが可能であるから、使用者の立ち居や自由な移動が制約されることなく、吊り上げベルトとコルセットの着脱が必要な場合に適応できる。即ち、使用者が必要なベルトの長さ調整が可能でかつ使用者が席を離れる時等のコルセットの着脱が不可欠な場合にも腰のコルセットを外さなくても適用できる。
【図面の簡単な説明】
【００２０】
【図１】自動車シートのヘッドレストに掛けた腰の負担軽減装置の側面図（実施例１）
【図２】同上腰の負担軽減装置の正面図（実施例１）
【図３】吊り上げベルトを長椅子の背もたれにかけることが出来るようにした逆Ｕ字状金具に取付けた腰の負担軽減装置の側面図（実施例２）
【図４】腰の負担軽減装置の雌雄着脱装置の正面図（実施例１，２，３，４共通）
【図５】自動車シートに装置した腰の負担軽減装置の側面図（実施例３）
【図６】同上自動車シートの背もたれ上部に装着のためのすべり板の正面図（実施例３）
【図７】同上平面図（実施例３）
【図８】同上自動車シートの背もたれ下部に装着のためのすべり板の正面図（実施例３）
【図９】同上自動車シートの背もたれ下部に装着のためのすべり板の側面図（実施例３）
【図１０】同上ベルト巻上げラチェットの平面図（実施例３）
【図１１】事務用椅子に装着した腰の負担軽減装置の背面図（実施例４）
【図１２】同上正面図（実施例４）
【図１３】同上ベルト取り付け装置の正面図（実施例４）
【図１４】同上断面図（実施例４）
【図１５】コルセットの正面図（ａ）（ｂ）（実施例５）
【符号の説明】
【００２１】
１    自動車シート
２    自動車シートの背もたれ
３    ヘッドレスト
４    雌雄着脱装置付きコルセット
５    雌雄着脱装置
６    コルセットを吊り上げるためにラチェットの巻取りローラで巻き上げと解除を容易にした雌雄着脱装置付のベルト
７    上部ベルトのすべり板
８    下部ベルトのすべり板
９    雌雄着脱装置付のベルト巻き取りローラ付きラチェット
１０    ベルト巻き取りローラ
１１    ベルト巻き取りローラの巻き上げレバー
１２    ベルト巻取りローラの逆転防止爪解除リング
１３    自動車シート及びラチェットの取り付け台
１４    コルセットを吊り上げるためのベルトをヘッドレストに掛けて長さ調整可能にした雌雄着脱装置付のベルト
１５，１５’    ベルトの調整用金具
１６    椅子の背もたれ
１７    コルセットを吊り上げるために背もたれに掛けて長さ調整可能にした雌雄着脱装置付のベルト
１８、１８’    雌雄着脱装置付きベルトを椅子の背もたれの支持具に取り付けるための取り付け装置
１９    椅子の背もたれの支持具
２０，２０’    ベルト取り付け装置の幅調節ボルト
２０’’    同上の固定ボルト
２１，２１’    同上の幅調節溝
２２    コルセットの横締めベルト
２４    ラチェットの取り付け台
２５    同上の幅調節ボルト
２６    同上の取り付けボルト
２７    ベルト巻き取りローラの逆転防止爪  
２８    上部ベルトのすべり板取り付け金具
２９    同上の取り付けボルト
３０    下部ベルトのすべり板取り付け金具
３１    シート後方の下部ベルトのすべり板取り付けボルト  
３２ａ，３２ｂ    背後カバー
３３    逆Ｕ字状金具
３４    逆Ｕ字状金具に取付けた吊り上げベルト
３５    長椅子
【図１】
2005168538.tif 000003
【図２】
2005168538.tif 000004
【図３】
2005168538.tif 000005
【図４】
2005168538.tif 000006
【図５】
2005168538.tif 000007
【図６】
2005168538.tif 000008
【図７】
2005168538.tif 000009
【図８】
2005168538.tif 000010
【図９】
2005168538.tif 000011
【図１０】
2005168538.tif 000012
【図１１】
2005168538.tif 000013
【図１２】
2005168538.tif 000014
【図１３】
2005168538.tif 000015
【図１４】
2005168538.tif 000016
【図１５】
2005168538.tif 000017